(57)【特許請求の範囲】
【請求項１】
便座と、
前記便座の開閉を支持し、商用電力が投入されるケーシングと、
高周波電流が通電されることにより磁界を発生する誘導加熱コイルと、
前記便座に設けられ、前記誘導加熱コイルが発生した磁界で生成される渦電流により誘導加熱される導電体と、
を備え、
前記導電体は、端部において前記渦電流の通電を確保する通電確保手段を有し、
前記通電確保手段は、前記導電体の端部が裏側に折り曲げられた折り曲げ片であることを特徴とする暖房便座装置。
【請求項２】
便座と、
前記便座の開閉を支持し、商用電力が投入されるケーシングと、
高周波電流が通電されることにより磁界を発生する誘導加熱コイルと、
前記便座に設けられ、前記誘導加熱コイルが発生した磁界で生成される渦電流により誘導加熱される導電体と、
を備え、
前記導電体は、端部において前記渦電流の通電を確保する通電確保手段を有し、
前記通電確保手段は、前記導電体の端部の裏面において、前記端部から所定範囲にのみ付設された導電性部材であることを特徴とする暖房便座装置。
【請求項３】
便座と、
前記便座の開閉を支持し、商用電力が投入されるケーシングと、
高周波電流が通電されることにより磁界を発生する誘導加熱コイルと、
前記便座に設けられ、前記誘導加熱コイルが発生した磁界で生成される渦電流により誘導加熱される導電体と、
を備え、
前記導電体は、端部において前記端部以外の部分よりも厚い肉厚で形成されて前記渦電流の通電を確保する通電確保手段を有することを特徴とする暖房便座装置。
【請求項４】
便座と、
前記便座を支持し、商用電力が投入されるケーシングと、
高周波電流が通電されることにより磁界を発生する誘導加熱コイルと、
前記便座に設けられ、前記誘導加熱コイルが発生した磁界で生成される渦電流により誘導加熱される導電体と、
を備え、
前記導電体は、前記導電体の端部の裏面において、前記端部から所定範囲にのみ付設された補強部材により形成されて前記渦電流の通電を確保する通電確保手段を有することを特徴とする暖房便座装置。
【発明の詳細な説明】
【技術分野】
【０００１】
本発明の態様は、便器に設けられる便座を暖めることができる暖房便座装置に関する。
【背景技術】
【０００２】
一般的に、便座の座面は、例えばＰＰ（polypropylene：ポリプロピレン）等の樹脂で製造されているため、使用者は、冬場などの気温の低いときに冷えた便座に座ると冷感を感じる場合がある。そこで、便座を暖めることができる暖房便座装置がある。このような暖房便座装置では、便座の昇温の迅速性や、省エネルギー化や、安全性などを図るために種々の提案がなされている。
【０００３】
例えば、誘導加熱の原理を利用して便座の着座面を迅速に昇温させ、待機電力を削減する暖房便座が提案されている。誘導加熱では、誘導加熱コイルに高周波電流を流すことにより磁界が発生し、その磁界が導電体を通過することで生ずる渦電流により導電体が発熱する。
【０００４】
このような暖房便座として、便座本体と、便座本体に設けられた誘導加熱コイル及び誘導加熱によって発熱する発熱体とを有する暖房便座がある（特許文献１）。特許文献１に記載の発熱体は、加飾用の合成樹脂シートの裏側に密着配置され、熱溶着剤で覆われている。  
また、便座の着座部の曲面領域を有する外表面側に、導電性材料より成る着座面用発熱体が配置された暖房便座装置がある（特許文献２）。
【０００５】
しかしながら、特許文献１および２に記載された暖房便座において発熱体に亀裂が生ずると、渦電流の流れが阻害される。そうすると、渦電流が亀裂の端部に集中し、着座面が局部的に過熱するおそれがある。これにより、温度むらが生じ、便座の座り心地が悪化するおそれがある。
【先行技術文献】
【特許文献】
【０００６】
【特許文献１】特開２００１−８８５９号公報
【特許文献２】特開２００９−２７３７５６号公報
【発明の概要】
【発明が解決しようとする課題】
【０００７】
本発明は、かかる課題の認識に基づいてなされたものであり、例えば亀裂などの損傷が導電体に生じても局部過熱を抑制し、座り心地を維持することができる誘導加熱式の暖房便座装置を提供することを目的とする。
【課題を解決するための手段】
【０００８】
第１の発明は、便座と、前記便座の開閉を支持し、商用電力が投入されるケーシングと、高周波電流が通電されることにより磁界を発生する誘導加熱コイルと、前記便座に設けられ、前記誘導加熱コイルが発生した磁界で生成される渦電流により誘導加熱される導電体と、を備え、前記導電体は、端部において前記渦電流の通電を確保する通電確保手段を有し、前記通電確保手段は、前記導電体の端部が裏側に折り曲げられた折り曲げ片であることを特徴とする暖房便座装置である。
【０００９】
この暖房便座装置によれば、導電体は、端部において渦電流の通電を確保する通電確保手段を有する。そのため、例えば亀裂などの損傷が導電体に生じても、渦電流が通電確保手段を流れることができる。そのため、渦電流が損傷の端部の領域に集中することを抑制できる。そのため、損傷の端部の領域における導電体が局部的に過熱することを抑制できる。これにより、便座の着座面が局部的に過熱したり、着座面において温度むらが生じたりすることを抑制し、便座の座り心地を維持することができる。
【００１１】
この暖房便座装置によれば、通電確保手段は、導電体の端部が裏側に折り曲げられた折り曲げ片である。そのため、例えば亀裂などの損傷が導電体の端部に生じても、渦電流は、折り曲げ片の側へ流れることができる。渦電流は、損傷を避けつつ折り曲げ片および中央部の側に分散して流れることができるため、渦電流が損傷の端部に集中することを抑制することができる。
【００１２】
また、第２の発明は、便座と、前記便座の開閉を支持し、商用電力が投入されるケーシングと、高周波電流が通電されることにより磁界を発生する誘導加熱コイルと、前記便座に設けられ、前記誘導加熱コイルが発生した磁界で生成される渦電流により誘導加熱される導電体と、を備え、前記導電体は、端部において前記渦電流の通電を確保する通電確保手段を有し、前記通電確保手段は、前記導電体の端部の裏面において、前記端部から所定範囲にのみ付設された導電性部材であることを特徴とする暖房便座装置である。
【００１３】
この暖房便座装置によれば、導電体は、端部において渦電流の通電を確保する通電確保手段を有する。そのため、例えば亀裂などの損傷が導電体に生じても、渦電流が通電確保手段を流れることができる。そのため、渦電流が損傷の端部の領域に集中することを抑制できる。そのため、損傷の端部の領域における導電体が局部的に過熱することを抑制できる。これにより、便座の着座面が局部的に過熱したり、着座面において温度むらが生じたりすることを抑制し、便座の座り心地を維持することができる。  
この暖房便座装置によれば、通電確保手段は、導電体の端部の裏面に付設された導電性部材である。そのため、例えば亀裂などの損傷が導電体の端部に生じても、渦電流は、導電性部材の側へ流れることができる。渦電流は、損傷を避けつつ導電性部材および中央部の側に分散して流れることができるため、渦電流が損傷の端部に集中することを抑制することができる。
【００１４】
また、第３の発明は、便座と、前記便座の開閉を支持し、商用電力が投入されるケーシングと、高周波電流が通電されることにより磁界を発生する誘導加熱コイルと、前記便座に設けられ、前記誘導加熱コイルが発生した磁界で生成される渦電流により誘導加熱される導電体と、を備え、前記導電体は、端部において前記端部以外の部分よりも厚い肉厚で形成されて前記渦電流の通電を確保する通電確保手段を有することを特徴とする暖房便座装置である。
【００１５】
この暖房便座装置によれば、導電体は、端部において端部以外の部分よりも厚い肉厚で形成された通電確保手段を有する。そのため、通電確保手段は、例えば亀裂などの損傷が導電体の端部において生ずることを抑制することができる。これによれば、導電体の端部において損傷が生じにくくなる。そのため、渦電流が損傷の端部の領域に集中することを抑制できる。そのため、損傷の端部の領域における導電体が局部的に過熱することを抑制できる。これにより、便座の着座面が局部的に過熱したり、着座面において温度むらが生じたりすることを抑制し、便座の座り心地を維持することができる。
【００１６】
また、第４の発明は、便座と、前記便座を支持し、商用電力が投入されるケーシングと、高周波電流が通電されることにより磁界を発生する誘導加熱コイルと、前記便座に設けられ、前記誘導加熱コイルが発生した磁界で生成される渦電流により誘導加熱される導電体と、を備え、前記導電体は、前記導電体の端部の裏面において、前記端部から所定範囲にのみ付設された補強部材により形成されて前記渦電流の通電を確保する通電確保手段を有することを特徴とする暖房便座装置である。
【００１７】
この暖房便座装置によれば、導電体は、導電体の端部の裏面に付設された補強部材により形成された通電確保手段を有する。そのため、通電確保手段は、例えば亀裂などの損傷が導電体の端部において生ずることを抑制することができる。これによれば、導電体の端部において損傷が生じにくくなる。そのため、渦電流が損傷の端部の領域に集中することを抑制できる。そのため、損傷の端部の領域における導電体が局部的に過熱することを抑制できる。これにより、便座の着座面が局部的に過熱したり、着座面において温度むらが生じたりすることを抑制し、便座の座り心地を維持することができる。
【発明の効果】
【００１８】
本発明の態様によれば、例えば亀裂などの損傷が導電体に生じても局部過熱を抑制し、座り心地を維持することができる誘導加熱式の暖房便座装置が提供される。
【図面の簡単な説明】
【００１９】
【図１】本発明の実施の形態にかかる暖房便座装置を備えたトイレ装置を例示する斜視模式図である。
【図２】本実施形態の便座の内部構造を表す断面模式図である。
【図３】本実施形態の導電体において生ずる渦電流について説明するための断面模式図である。
【図４】導電体を流れる渦電流の具体例を説明するための平面模式図である。
【図５】導電体を流れる渦電流の比較例を説明するための平面模式図である。
【図６】本実施形態の通電確保手段の具体例を例示する断面模式図である。
【図７】図６（ａ）に表した通電確保手段を表す斜視模式図である。
【図８】本実施形態の通電確保手段の他の具体例を例示する断面模式図である。
【図９】本実施形態の通電確保手段のさらに他の具体例を例示する平面模式図である。
【図１０】本具体例の通電確保手段を例示する断面模式図である。
【図１１】本実施形態の通電確保手段のさらに他の具体例を例示する断面模式図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかる暖房便座装置を備えたトイレ装置を例示する斜視模式図である。
【００２１】
図１に表したトイレ装置は、洋式腰掛便器８００と、その上に設けられた暖房便座装置１００と、を備える。暖房便座装置１００は、ケーシング４００と、便座２００と、便蓋３００と、を有する。便座２００と便蓋３００とは、ケーシング４００に対して開閉自在にそれぞれ軸支されている。便蓋３００は、閉じた状態において便座２００の上方を覆うことができる。但し、暖房便座装置１００は、便蓋３００を必ずしも有していなくともよい。
【００２２】
図２は、本実施形態の便座の内部構造を表す断面模式図である。  
なお、図２は、図１に表した切断面Ａ−Ａにおける断面模式図である。  
便座２００は、図２に表したように、便座２００の外形を形成する筐体２１０を有する。筐体２１０は、例えば樹脂などの絶縁性を有する材料により形成されている。便座２００の筐体２１０の内部には、高周波電流が通電されることにより磁界を発生する誘導加熱コイル２２２と、誘導加熱コイル２２２を支持する支持体２８０と、が設けられている。誘導加熱コイル２２２は、例えば個々に絶縁された複数の導体素線を撚り合わせた構造を有するリッツ線などにより図示しない高周波電源回路と接続されている。
【００２３】
なお、図２に表した誘導加熱コイル２２２は、支持体２８０により支持されているが、誘導加熱コイル２２２の設置形態は、これだけに限定されるわけではない。誘導加熱コイル２２２は、支持体２８０に支持されることなく、例えば便座２００の内部の上面（着座面に対向する内面）２１０ａに付設されていてもよい。
【００２４】
便座２００には、誘導加熱コイル２２２から発生した磁界により誘導加熱される導電体２３０が設けられている。導電体２３０は、貫通孔２３１を有する。貫通孔２３１は、例えば便座２００の全体に亘って分散して配置されている。但し、導電体２３０は、貫通孔２３１を必ずしも有していなくともよい。また、導電体２３０は、端部において渦電流５０３（図３参照）の通電を確保する通電確保手段２３３、２３５を有する。通電確保手段２３３、２３５については、後に詳述する。
【００２５】
導電体２３０としては、例えば鉄やステンレスなどの強磁性体、またはアルミニウムなどの常磁性体といった金属を用いることができる。便座２００の外部に磁界を放出させにくくするためには、電気抵抗が大きい鉄やステンレスなどの強磁性体を導電体２３０に用いることがより好ましい。
【００２６】
導電体２３０の上方および側方には、表皮材２４０が設けられている。表皮材２４０は、導電体２３０を覆い、人体と導電体２３０とが直接的に接触することを防止する。表皮材２４０は、絶縁性を有する絶縁部材であってもよいし、あるいは導電体２３０の表面に施された塗装やコーティングであってもよい。
【００２７】
なお、図２に表した便座２００では、導電体２３０は、便座２００の筐体２１０の上面に付設されているが、導電体２３０の設置形態は、これだけに限定されるわけではない。
【００２８】
図３は、本実施形態の導電体において生ずる渦電流について説明するための断面模式図である。  
なお、図３は、図２に表した切断面Ｂ−Ｂにおける断面模式図である。また、図３では、筐体２１０、表皮材２４０、および支持体２８０は、省略されている。
【００２９】
誘導加熱コイル２２２に高周波電流が流れると、誘導加熱コイル２２２の周囲には、図３に表したように、磁界５０１が発生する。誘導加熱コイル２２２の周囲に磁界５０１が発生すると、導電体２３０には、図３に表した矢印のように、磁界５０１により誘起される渦電流５０３が流れる。導電体２３０は、渦電流５０３が導電体２３０を流れる際に発生するジュール熱により発熱する。
【００３０】
本実施形態によれば、暖房便座装置１００は、誘導加熱の原理を利用し、便座２００の着座面を急速に加熱することができ、より早く着座面を適温にすることができる。また、本実施形態にかかる暖房便座装置１００は、便座２００の着座面を急速に加熱することができるため、使用者が便座２００を使用していないときには便座２００を保温しておく必要はない。そのため、省エネルギー化を図ることができる。
【００３１】
図４は、導電体を流れる渦電流の具体例を説明するための平面模式図である。  
また、図５は、導電体を流れる渦電流の比較例を説明するための平面模式図である。  
図３に関して前述したように、導電体２３０には磁界５０１により誘起される渦電流５０３が流れる。
【００３２】
ここで、図４に表したように、導電体２３０の端部以外の部分に例えば亀裂などの損傷５１１が生ずると、渦電流５０３は、損傷５１１により流れを阻害され、損傷５１１の両側を流れる。この場合には、渦電流５０３は、損傷５１１の両側に分散して流れるため、渦電流５０３が損傷５１１の端部の一方のみに集中することを抑制することができる。これにより、損傷５１１の端部の領域Ａ１およびＡ２における導電体２３０が、局部的に過熱することを抑制することができる。
【００３３】
これに対して、図５に表したように、導電体２３０の端部に例えば亀裂などの損傷５１１が生ずると、渦電流５０３は、損傷５１１により流れを阻害され、損傷５１１の片側を流れる。この場合には、渦電流５０３は、損傷５１１の両側に分散して流れることができないため、損傷５１１の端部の領域Ａ３に集中する。そのため、損傷５１１の端部の領域Ａ３における導電体２３０が局部的に過熱する。これにより、便座２００の着座面が局部的に過熱し、着座面において温度むらが生じ、便座の座り心地が悪化するおそれがある。
【００３４】
本実施形態の導電体２３０は、例えば亀裂などの損傷５１１が導電体２３０に生じても、端部において渦電流５０３の通電を確保する通電確保手段２３３、２３５を有する。これによれば、例えば亀裂などの損傷５１１が導電体２３０に生じても、渦電流５０３が通電確保手段２３３、２３５を流れることができる。そのため、渦電流５０３が損傷５１１の端部の領域に集中することを抑制できる。そのため、損傷５１１の端部の領域における導電体２３０が局部的に過熱することを抑制できる。これにより、便座２００の着座面が局部的に過熱したり、着座面において温度むらが生じたりすることを抑制し、便座の座り心地を維持することができる。
【００３５】
あるいは、本実施形態の通電確保手段２３３、２３５は、例えば亀裂などの損傷５１１が導電体２３０の端部において生ずることを抑制する。これによれば、導電体２３０の端部において損傷５１１が生じにくくなる。そのため、渦電流５０３が損傷５１１の端部の領域に集中することを抑制できる。そのため、損傷５１１の端部の領域における導電体２３０が局部的に過熱することを抑制できる。これにより、便座２００の着座面が局部的に過熱したり、着座面において温度むらが生じたりすることを抑制し、便座の座り心地を維持することができる。
【００３６】
なお、導電体２３０が貫通孔２３１を有する場合には、局部的に過熱することをより抑制することができる。この場合には、渦電流５０３が貫通孔２３１を避けるように流れるため、貫通孔２３１の近傍の温度は、貫通孔２３１の周辺の温度よりも高い。これにより、損傷５１１が導電体２３０に生じても、導電体２３０が局部的に過熱する度合をより低く抑えることができる。また、貫通孔２３１は、損傷５１１が進行することを抑制することができる。但し、図２に関して前述したように、導電体２３０は、貫通孔２３１を必ずしも有していなくともよい。
【００３７】
次に、本実施形態の通電確保手段の具体例について、図面を参照しつつ説明する。  
図６は、本実施形態の通電確保手段の具体例を例示する断面模式図である。  
また、図７は、図６（ａ）に表した通電確保手段を表す斜視模式図である。  
なお、図６（ａ）は、図２に表した通電確保手段２３３の具体例を表す拡大模式図であり、図６（ｂ）は、図２に表した通電確保手段２３３の変形例を表す拡大模式図である。
【００３８】
図６（ａ）および図７に表した具体例では、導電体２３０ａは、導電体本体２３７ａが裏側（着座面や表皮材２４０の側とは反対側）に折り曲げられた折り曲げ片（通電確保手段）２３３ａを有する。本具体例において、例えば亀裂などの損傷５１１が導電体２３０ａの下端部に生じても、渦電流５０３は、図７に表したように、折り曲げ片２３３ａの側へ流れることができる。渦電流５０３は、損傷５１１を避けつつ折り曲げ片２３３ａおよび導電体本体２３７ａの側に分散して流れることができるため、渦電流５０３が損傷５１１の端部に集中することを抑制することができる。そのため、損傷５１１の端部の領域Ａ４における導電体２３０ａが、局部的に過熱することを抑制することができる。これにより、便座２００の着座面が局部的に過熱したり、着座面において温度むらが生じたりすることを抑制し、便座の座り心地を維持することができる。
【００３９】
図６（ｂ）に表した変形例の導電体２３０ｂは、図６（ａ）に表した導電体２３０ａと同様に、導電体本体２３７ｂが裏側に折り曲げられた折り曲げ片（通電確保手段）２３３ｂを有する。本変形例の折り曲げ片２３３ｂは、複数の折り曲げ部を有し、図６（ａ）に表した折り曲げ片２３３ａよりも小型化されつつ広い表面積を有する。そのため、本変形例の折り曲げ片２３３ｂは、渦電流５０３が流れる部分を大きく確保し、通電性をより確実に確保することができる。また、その他の効果についても、図６（ａ）に表した導電体２３０ａと同様の効果が得られる。  
なお、図６および図７では、図２に表した通電確保手段２３３の具体例および変形例について説明したが、これらは、図２に表した通電確保手段２３５においても同様である。
【００４０】
図８は、本実施形態の通電確保手段の他の具体例を例示する断面模式図である。  
なお、図８は、図１に表した切断面Ａ−Ａにおける導電体の断面模式図である。  
本具体例の導電体２３０ｃは、端部において導電性部材（通電確保手段）２６３、２６５を有する。導電性部材２６３、２６５は、導電性を有し、導電体本体２３７ｃの裏面（着座面や表皮材２４０の側とは反対側の面）に付設されている。つまり、導電性部材２６３、２６５と導電体本体２３７ｃとは、別部材である。導電性部材２６３、２６５としては、導電体２３０ｃと同様に、例えば鉄やステンレスなどの強磁性体、またはアルミニウムなどの常磁性体といった金属を用いることができる。
【００４１】
本具体例において、例えば亀裂などの損傷５１１が導電体２３０ｃの下端部に生じても、渦電流５０３は、導電性部材２６３、２６５の側へ流れることができる（例えば図７参照）。渦電流５０３は、損傷５１１を避けつつ導電性部材２６３、２６５および導電体本体２３７ｃの側に分散して流れることができるため、渦電流５０３が損傷５１１の端部に集中することを抑制することができる。そのため、図６および図７に関して前述した効果と同様の効果が得られる。また、本具体例の導電体２３０ｃは、導電性部材２６３、２６５が導電体本体２３７ｃに付設された構造を有するため、導電体本体２３７ｃの構造を簡略化させることができる。
【００４２】
図９は、本実施形態の通電確保手段のさらに他の具体例を例示する平面模式図である。  また、図１０は、本具体例の通電確保手段を例示する断面模式図である。  
なお、図１０は、図１に表した切断面Ａ−Ａにおける導電体の断面模式図である。
【００４３】
本具体例の導電体２３０ｄは、端部以外の部分よりも厚く形成された肉厚部（通電確保手段）２３３ｄ、２３５ｄを端部に有する。肉厚部２３３ｄは、導電体本体２３７ｄと別部材ではなく同部材であり、導電体本体２３７ｄの裏側へ延在している。
【００４４】
そのため、本具体例の肉厚部２３３ｄ、２３５ｄは、例えば亀裂などの損傷５１１が導電体２３０ｄの端部において生ずることを抑制することができる。これによれば、導電体２３０ｄの端部において損傷５１１が生じにくくなる。そのため、渦電流５０３が損傷５１１の端部の領域に集中することを抑制できる。そのため、損傷５１１の端部の領域における導電体２３０ｄが局部的に過熱することを抑制できる。これにより、便座２００の着座面が局部的に過熱したり、着座面において温度むらが生じたりすることを抑制し、便座の座り心地を維持することができる。
【００４５】
図１１は、本実施形態の通電確保手段のさらに他の具体例を例示する断面模式図である。  
なお、図１１は、図１に表した切断面Ａ−Ａにおける導電体の断面模式図である。  
本具体例の導電体２３０ｅは、端部において補強部材（通電確保手段）２６７、２６９を有する。補強部材２６７、２６９は、導電体本体２３７ｅの裏面に付設されている。つまり、補強部材２６７、２６９と導電体本体２３７ｅとは、別部材である。補強部材２６７、２６９は、図８に関して前述した導電性部材２６３、２６５のようには導電性を有していなくともよい。
【００４６】
本具体例の導電体２３０ｅは、補強部材２６７、２６９により端部を補強されているため、例えば亀裂などの損傷５１１が導電体２３０ｅの端部において生ずることを抑制することができる。これによれば、導電体２３０ｅの端部において損傷５１１が生じにくくなる。そのため、図９および図１０に関して前述した効果と同様の効果が得られる。また、本具体例の導電体２３０ｅは、補強部材２６７、２６９が導電体本体２３７ｅに付設された構造を有するため、図９および図１０に表した導電体２３０ｄよりも簡易的に製作され得る。
【００４７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便座２００や導電体２３０などが備える各要素の形状、寸法、材質、配置などや導電体２３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１００ 暖房便座装置、  ２００ 便座、  ２１０ 筐体、  ２１０ａ 上面、  ２２２ 誘導加熱コイル、  ２３０、２３０ａ、２３０ｂ、２３０ｃ、２３０ｄ、２３０ｅ 導電体、  ２３１ 貫通孔、  ２３３ 通電確保手段、  ２３３ａ、２３３ｂ 折り曲げ片、  ２３３ｄ 肉厚部、  ２３５ 通電確保手段、  ２３５ｄ 肉厚部、  ２３７ａ、２３７ｂ、２３７ｃ、２３７ｄ、２３７ｅ 導電体本体、  ２４０ 表皮材、  ２６３、２６５ 導電性部材、  ２６７、２６９ 補強部材、  ２８０ 支持体、  ３００ 便蓋、  ４００ ケーシング、  ５０１ 磁界、  ５０３ 渦電流、  ５１１ 損傷、  ８００ 洋式腰掛便器
【図１】
0005720873.tif 000002
【図２】
0005720873.tif 000003
【図３】
0005720873.tif 000004
【図４】
0005720873.tif 000005
【図５】
0005720873.tif 000006
【図６】
0005720873.tif 000007
【図７】
0005720873.tif 000008
【図８】
0005720873.tif 000009
【図９】
0005720873.tif 000010
【図１０】
0005720873.tif 000011
【図１１】
0005720873.tif 000012